(57)【要約】【課題】構造が比較的簡単で小型化が可能となり、堅強な構造で、重量物を保管する保管庫の抽斗のロックに最適な抽斗用ロック装置を提供する。【解決手段】保管庫本体１の側部に縦長のロック杆４が縦に摺動可能に配設され、ロック杆には、抽斗の収納部側に突出して第１係止部５と第２係止部６が各段の抽斗２に対応した位置に設けられる。各抽斗２の側部には、ロック杆４が下降端で且つ各抽斗２が押し戻し位置にあるとき、第１係止部５に係止可能な第１ロック部２１が設けられる。一つの抽斗が引き出され且つロック杆４が抽斗の動きに応じて上昇したとき、他の抽斗の引き出し動作をロックする第２ロック部２２が第２係止部６に係止可能に各抽斗の側部に設けられる。保管庫本体の上側部にカード式錠１０が装着され、その解錠操作に応じてロック杆４を上昇動作させる作動レバー１２設けられる。【選択図】図１
2008136716.tif 000002
【特許請求の範囲】
【請求項１】
保管庫本体内に配設された多段状の複数の抽斗をロックする抽斗用ロック装置において、
該保管庫本体の側部に縦長のロック杆が縦に摺動可能に配設され、該ロック杆には、該抽斗の収納部側に突出して第１係止部と第２係止部が該各段の抽斗に対応した位置に設けられ、該各抽斗の側部には、該ロック杆が下降端にあって且つ該各抽斗が押し戻し位置にあるとき、該第１係止部に係止可能な第１ロック部が設けられ、一つの該抽斗が引き出され且つ該ロック杆が該抽斗の動きに応じて上昇したとき、他の抽斗の引き出し動作をロックする第２ロック部が該第２係止部に係止可能に該各抽斗の側部に設けられ、該保管庫本体の上側部に施錠具が装着され、該施錠具の解錠操作に応じて該ロック杆を上昇動作させる作動レバーが該保管庫本体の上側部内に配設されたことを特徴とする抽斗用ロック装置。
【請求項２】
前記施錠具としてカードキーを挿入することにより錠作動部を移動させて解錠動作するカード式錠が使用され、前記作動レバーが該錠作動部に係合して回動可能に枢支され、該カード式錠にカードキーを挿入して該錠作動部を移動させたとき、該錠作動部が該作動レバーを回動させ、該作動レバーによって前記ロック杆が上昇し、前記抽斗のロックが解除されることを特徴とする請求項１記載の抽斗用ロック装置。
【請求項３】
前記ロック杆及び施錠具は、前記保管庫本体の前側角部を形成する縦長のロックケース内に取り付けられたことを特徴とする請求項１記載の抽斗用ロック装置。
【発明の詳細な説明】
【技術分野】
【０００１】
本発明は、複数の抽斗を多段状に備えた保管庫などに使用され、抽斗をロックする抽斗用ロック装置に関する。
【背景技術】
【０００２】
従来、複数の抽斗を多段状に備えたキャビネットなどにおいて、全ての抽斗をロック可能とすると共に、何れか１つの抽斗を引き出した状態で、他の抽斗の引き出し操作をロックする構造のロック装置が、下記特許文献１などで知られている。
【特許文献１】特開平９−２３４１２９号公報
【発明の開示】
【発明が解決しようとする課題】
【０００３】
従来のこの種の抽斗用ロック装置は、施錠装置の回動操作によって回動する鍵棒及び鍵棒に装着されるカム付きのラッチ部材を備え、施錠装置の解錠操作によってラッチ部材を解錠動作させ、何れか１つの抽斗を引き出した状態で、他の抽斗に対応したラッチ部材がそれらの抽斗のストッパを係止して、他の抽斗の引き出し操作がロックされる構造である。
【０００４】
しかしながら、この抽斗用ロック装置は、カム付きラッチ部材の形状が複雑な立体形状となり、鍵棒を回動する機構やカム付きラッチ部材の連結構造も複雑化していた。このため、ロック装置の製造コストが高くなると共に、ロック機構を収納するキャビネット本体内部の収納スペースが大型化して、既製のキャビネット本体や抽斗に、簡単には適用できないという課題があった。
【０００５】
また、複雑なラッチ部材は、製造コストを考慮して通常プラスチックで成形することになるが、金型部品などの重量物を保管する保管庫の抽斗に、上記ロック装置を使用した場合、重量の重い抽斗を操作する際の操作慣性力が大きく、過大荷重がラッチ部材にかかると、ラッチ部材が破損する虞が生じる課題があった。
【０００６】
本発明は、上述の課題を解決するものであり、構造が比較的簡単で小型化が可能となり、堅強な構造で、重量物を保管する保管庫の抽斗のロックに最適な抽斗用ロック装置を提供することを目的とする。
【課題を解決するための手段】
【０００７】
本発明に係る抽斗用ロック装置は、保管庫本体内に配設された多段状の複数の抽斗をロックする抽斗用ロック装置において、該保管庫本体の側部に縦長のロック杆が縦に摺動可能に配設され、該ロック杆には、該抽斗の収納部側に突出して第１係止部と第２係止部が該各段の抽斗に対応した位置に設けられ、該各抽斗の側部には、該ロック杆が下降端で且つ該各抽斗が押し戻し位置にあるとき、該第１係止部に係止可能な第１ロック部が設けられ、一つの該抽斗が引き出され且つ該ロック杆が該抽斗の動きに応じて上昇したとき、他の抽斗の引き出し動作をロックする第２ロック部が該第２係止部に係止可能に該各抽斗の側部に設けられ、該保管庫本体の上側部に施錠具が装着され、該施錠具の解錠操作に応じて該ロック杆を上昇動作させる作動レバーが該保管庫本体の上部内に配設されたことを特徴とする。
【０００８】
ここで、上記施錠具としてカードキーを挿入することにより錠作動部を移動させて解錠動作するカード式錠が使用され、上記作動レバーが該錠作動部に係合して回動可能に枢支され、カード式錠にカードキーを挿入して錠作動部を移動させたとき、該錠作動部が該作動レバーを回動させ、該作動レバーによって上記ロック杆が上昇し抽斗のロックが解除されるように構成することができる。
【０００９】
また、上記ロック杆及び施錠具は、上記保管庫本体の前側角部を形成する縦長のロックケース内に配設することができる。
【発明の効果】
【００１０】
上記構成の抽斗用ロック装置によれば、第１係止部と第２係止部を備えたロック杆、作動レバー、及び作動レバーを介してロック杆を動作させる施錠具を保管庫本体側に設け、各抽斗の側部に第１ロック部と第２ロック部を設けるだけの簡単な構造で、部品点数が少なく、小型化が可能で、低コストで製造することができる。
【００１１】
また、ロック杆は単純な形状の帯板に第１係止部と第２係止部を所定位置に突設するのみで構成されるため、堅強に形成することができる。さらに、各抽斗の側部の第１ロック部と第２ロック部にあっても、第１ロック部は施錠時、ロック杆の第１係止部に当接して抽斗をロックし、解錠時の抽斗の引き出し時には、ロック杆を少し押し上げて抽斗の引き出し操作を許容する形状とすればよいから、第１ロック部は単純な形状で且つ堅強に形成することができる。
【００１２】
また、第２ロック部についても、一つの抽斗が引き出され且つロック杆が抽斗の動きに応じて上昇したとき、他の抽斗の引き出し動作をロックするように、第２係止部に係止可能に各抽斗の側部に突設すればよいから、第２ロック部も単純な形状で堅強に形成することができる。したがって、金型などの重量物を保管する保管庫において、大重量の抽斗を安全にロックすることができ、重量物保管庫に好適に使用することがきる。
【発明を実施するための最良の形態】
【００１３】
以下、本発明の一実施形態を図面に基づいて説明する。図１は保管庫に適用される抽斗用ロック装置の正面図を示し、図２はその右側面図を示し、図３は抽斗の左側面図を示している。この抽斗用ロック装置は、概略的には、多段状の抽斗２を備えた保管庫本体１の前側縁部を形成する縦長のロックケース３内に、そのロック杆４、作動レバー１２、及びカード式錠１０を装着して構成され、保管庫本体１内には複数の抽斗２が引き出し動作可能に挿入される。各抽斗２の左側部に第１ロック部２１と第２ロック部２２を備えたレール部２０が取り付けられ、保管庫本体１に押し込まれた全ての抽斗２をロックし、施錠具のカード式錠１０により解錠して、何れか一つの抽斗２を引き出したとき、他の抽斗２をロックする構造である。
【００１４】
ロックケース３は、保管庫本体１の左前部の角部を形成するように縦長に形成された直方体箱型形状のケースであり、ロックケース３の右側面（内側面）には、複数のスリット３ａ、３ｂが多段状に縦に形成されている。スリット３ａは、後述のロック杆４の第１係止部５が突出するように形成され、スリット３ｂは、その第２係止部６が突き出して上下動をガイドされるように形成される。ロック杆４の第１係止部５と第２係止部６は、各段の抽斗２について多段状に設けられるため、スリット３ａ、３ｂも、それら各段の抽斗２に対応した位置に多段状に設けられる。
【００１５】
さらに、ロックケース３の右側面には縦（長手方向）にリブ３ｃが突設され、リブ３ｃには、所定の高さ位置に、抽斗２の側部のレール部２０を摺動可能に支持する摺動支持部３ｄが切欠き部として形成されている。また、ロックケース３の右側面の後部にも、リブ状の摺動支持部３ｅが所定の高さ位置に突設されている。この摺動支持部３ｅも、上記摺動支持部３ｄと同様、抽斗２の側部のレール部２０を摺動可能に支持する。
【００１６】
図４、図５に示すように、ロックケース３の上端部に、上部カバー９を備えたカード式錠１０が取り付けられる。上部カバー９はロックケース３の上部カバーとして機能し、ロックケース３の上部に固定ねじで固定され、カード式錠１０はその内側に取り付けられる。上部カバー９の正面側に、カードキーを差し込むためのスリット孔９ａが形成されている。
【００１７】
カード式錠１０は、ケーシング内に移動板を移動可能に配設し、ケーシングと移動板の厚さ方向に穿設された複数のピン孔にアンダーピンとコードピンがばねで付勢されて摺動可能に配設される。ピン孔の横断方向に設定カード挿入長孔１０ｂとカードキー挿入長孔１０ａが形成され、各コードピンの上方のピン孔に１個のボールが収容される。設定カード挿入長孔１０ｂに挿入した設定カードを、そのコードピンとボールの間に差し込むことにより、解錠用のカードキーにおける孔の位置が設定される。
【００１８】
つまり、設定カード挿入長孔１０ｂに差し込まれた設定カードにより解錠コードが設定され、その解錠コードに対応した複数の孔を有するカードキーのみが解錠キーとなる。また、移動板の端部には、錠作動部１１が取着され、その錠作動部１１はカード式錠１０の底面側に突き出しており、カードキーをカードキー挿入長孔１０ａに差し込んで移動板を押し込むと、解錠動作が行なわれ、移動板が後方に移動し、錠作動部１１が後方に移動する。
【００１９】
カード式錠１０が装着されるロックケース３内の上部の下側には、図４、図５に示すように、略Ｌ字状の作動レバー１２が枢軸１２ａを軸に回動可能に軸支されている。この作動レバー１２の上端部は、上記カード式錠１０の錠作動部１１に係合可能であり、カード式錠１０の解錠操作により錠作動部１１が後方に移動したとき、図９のように、錠作動部１１の下端が作動レバー１２の上端を図の右方向に押し、これにより、作動レバー１２が図の時計方向に回動して、その先端部を上方に持ち上げる。
【００２０】
作動レバー１２の下側には、ロック杆４がロックケース３の内側縦方向に上下摺動可能に配設されている。図４、図５に示すように、ロック杆４は、縦長の帯板４ａの所定位置（各段の抽斗２の挿入対応位置）に第１係止部５と第２係止部６を右側に突き出すように曲折して形成され、ロック杆４の上端部の内側に、係合ピン４ｂが上記作動レバー１２の先端部と係合可能に突設される。この係合ピン４ｂの下側に作動レバー１２の先端部が係合して作動レバー１２が図９の時計方向に回動したき、ロック杆４はこの作動レバー１２の回動によって持ち上げられ、上昇する。
【００２１】
図２に示すように、ロック杆４の各段の第１係止部５と第２係止部６は、ロックケース３の右側面に形成されたスリット３ａ，３ｂから突き出し、且つ所定の範囲で上下動可能に組み付けられる。ここで、ロック杆４の各段の第１係止部５の長さは、第２係止部６の長さより少し長く形成され、図８に示すように、全ての抽斗２を保管庫本体１内に収納した状態で、全ての抽斗２の左側面に取り付けたレール部２０の第１ロック部２１の先端が当接し、全ての抽斗２をロックする。そして、カード式錠１０の解錠操作により、作動レバー１２を介して、ロック杆４が上昇したとき、図９のように、第１ロック部２１の先端が第１係止部５から外れ、抽斗２の引き出し動作が可能となる。
【００２２】
一方、ロック杆４の各段の第２係止部６は、上記のように、ロック杆４が解錠操作により上昇し、何れかの抽斗２が引き出され、その抽斗２のレール部２０の第１ロック部２１の傾斜部によってロック杆４が持ち上げられ、さらに上昇したとき、保管庫本体１内に残された他の抽斗２において、その左側部のレール部２０の第２ロック部２２が第２係止部６に当接し、他の抽斗２をロックして、その引出し動作を阻止する。
【００２３】
また、このロック杆４は、上述のように、所定の範囲で上下動する形態で配設され、その上下動をガイドするために、図５に示す如く、その帯板４ａにガイド孔４ｃが形成され、そのガイド孔に対応してロックケース３の内側に突設されたガイドピン３ｆにガイド孔４ｃが挿入されて係合する。これにより、ロック杆４はロックケース３の内側で、その第１係止部５と第２係止部６をスリット３ａ，３ｂから突き出した状態で、所定の範囲において上下摺動が可能となっている。
【００２４】
一方、保管庫本体１内に多段状に収納される各抽斗２の左側面には、図３に示すように、レール部２０が取り付けられる。このレール部２０には、その最前端部に第２ロック部２２が設けられ、何れか一つの抽斗２が引き出されてロック杆４が上昇したとき、第２ロック部２２がロック杆４の第２係止部６に当って他の抽斗２の引出し動作を阻止する。
【００２５】
また、レール部２０には、第２ロック部２２の少し後方で下側に第１ロック部２１が、通常時、ロック杆４の第１係止部５に当って抽斗２の引き出し動作を阻止する位置に設けられる。この第１ロック部２１は、図３に示すように、傾斜部２１ａを介して少し上方位置の水平部２１ｂへ連続して形成され、図９に示すように、カード式錠１０が解錠操作され、作動レバー１２を介してロック杆４が第１段階まで少し上昇したとき、第１ロック部２１と第１係止部５の係合が外れ、抽斗２の引き出し動作が可能となる。このとき、抽斗２が引き出されると、図１０の如く、第１ロック部２１に続く傾斜部２１ａから水平部２１ｂの前進移動により、さらにロック杆４が上昇する。このロック杆４のさらなる上昇により、図１０のように、ロック杆４の第２係止部６がレール部２０の第２ロック部２２に当接可能となり、引き出された抽斗以外の他の抽斗２の引出し動作を阻止する。
【００２６】
なお、各抽斗２の両側部には、スライドレール２３の抽斗側レールが水平に固定され、スライドレール２３の本体側レールはロックケース３及び保管庫本体１の内側面に固定される。
【００２７】
図１１のように、保管庫本体１の正面側の左角部に位置するロックケース３内に、本ロック装置の構成部材が全て（各抽斗２のレール部２０を除く）収納される構造となっている。このため、既存の抽斗式保管庫の基本的な設計をそれほど変更することなく、既存設計の抽斗式保管庫における正面側の左角部のみを変更するだけで、本ロック装置を適用することができ、また、保管庫の大きさや抽斗の段数などが異なった場合でも、容易に対応することができる。
【００２８】
次に、上記構成の抽斗用ロック装置の動作を説明する。全ての抽斗２を保管庫本体１内に収納した状態では、図７、図８に示すように、ロック杆４が下降端に位置し、各抽斗２のレール部２０の第１ロック部２１がロック杆４の第１係止部５に当接しまたは可能であり、全ての抽斗２はロックされ、引き出すことができない。
【００２９】
カードキーをカード式錠１０のカードキー挿入長孔１０ａに挿入すると、錠が解錠され、そのままカードキーを更に押し込むと、カード式錠１０の移動板が図９の右側に移動し、錠作動部１１も同様に移動する。このとき、図９のように、錠作動部１１が作動レバー１２の上端部に係合してこれを後方（図９の右側）に押す。これにより、作動レバー１２が図９の時計方向に回動したき、ロック杆４の係合ピン４ｂと係合し、ロック杆４が作動レバー１２の回動に応じて持ち上げられ、上昇する。
【００３０】
このロック杆４の上昇により、ロック杆４の第１係止部５とレール部２０の第１ロック部２１との係合が解除され、レール部２０の第１ロック部２１が第１係止部５の下側を通過して抽斗２が引き出し可能な状態となり、ロックが解除される。この状態で、何れかの抽斗２を引き出すと、図９から図１０に示すように、レール部２０の前進移動より、第１ロック部２１が図９の左側に前進し、このとき、第１ロック部２１の傾斜部２１ａが第１係止部５の下側を通過する際、傾斜部２１ａにより第１係止部５つまりロック杆４が持ち上げられ、図１０のように上昇する。
【００３１】
なお、カードキーをカード式錠１０に差し込んだ状態では、図１０のように、錠作動部１１が後方に移動した状態となるが、一旦解錠動作を行なえば、カード式錠１０からカードキーを引き抜き、錠作動部１１が元の前方位置に移動しても、図１０のように、引き出された抽斗２のレール部２０における第１ロック部２１の水平部２１ｂが第１係止部５に係合して、ロック杆４はその上昇位置を保持することができる。
【００３２】
この状態で、引き出された１つの抽斗２はそのまま最後まで引き出すことができる一方、保管庫本体１内に残った抽斗２は、その側部に取り付けたレール部２０の第２ロック部２２が第２係止部６に当接して前進を阻止され、引き出すことができない。つまり、引き出された１つの抽斗２を除き、保管庫本体１内に残った抽斗２は全てロック状態を保持する。
【００３３】
したがって、カード式錠１０にカードキーを差し込んで、解錠操作を行い、何れか１つの抽斗２を引き出したときには、保管庫本体１内に残った抽斗２は、全てロック状態を保持し、引き出すことができないから、抽斗２に金型などの重量物を収納した場合、複数の抽斗を引き出したとき、保管庫の重心位置が前方に移動して保管庫が前方に倒れてしまう不具合を防止することができる。
【００３４】
一方、引き出した抽斗２を元の保管庫本体１内に押し戻すと、レール部２０が図８の状態まで戻り、このとき、レール部２０の第１ロック部２１が第１係止部５から離れ、ロック杆４を上方に持ち上げていた支持部分が外れて、ロック杆４はその自重で下降端まで下降し、元の施錠状態に戻る。したがって、引き出した抽斗２を元の保管庫本体１内に押し戻すと、カード式錠１０を解錠操作していない状態では、ロック杆４が下降端まで下降して静止し、全ての抽斗２がロックされる。
【００３５】
このように、本抽斗用ロック装置によれば、第１係止５部と第２係止部６を備えたロック杆４、作動レバー１２、及び作動レバー１２を介してロック杆４を動作させるカード式錠１０を保管庫本体１の前角部のロックケース３内に収容し、各抽斗２の側部に、第１ロック部２１と第２ロック部２２を備えたレール部２０を設けるだけの簡単な構造で構成することができ、部品点数が少なく、小型化が可能で、低コストで製造することができる。
【００３６】
また、ロック杆４は単純な形状の帯板４ａに第１係止部５と第２係止部６を所定位置に突設するのみで構成されるため、堅強に形成することができる。さらに、各抽斗２の側部に設けた、第１ロック部と第２ロック部を有するレール部２０にあっても、第１ロック部２１は施錠時、ロック杆４の第１係止部５に当接して抽斗２をロックし、解錠時の抽斗２の引き出し時には、ロック杆４を少し押し上げて抽斗２の引き出し操作を許容する構造であり、第１ロック部２１は単純な形状で堅強に形成することができる。
【００３７】
また、第２ロック部２２についても、一つの抽斗２が引き出され且つロック杆４が抽斗２の動きに応じて上昇したとき、他の抽斗２の引き出し動作をロックするように、第２係止部６に係止可能に、各抽斗２の側部に固定するレール部２０に突設すればよいから、第２ロック部２２も単純な形状で堅強に形成することができる。したがって、金型などの重量物を保管する保管庫において、大重量の抽斗２を安全にロックすることができ、重量物保管庫に好適に使用することがきる。
【図面の簡単な説明】
【００３８】
【図１】本発明の一実施形態を示す抽斗用ロック装置の正面図である。
【図２】同ロック装置の右側面図である。
【図３】抽斗の左側面図である。
【図４】抽斗用ロック装置の分解正面図である。
【図５】抽斗用ロック装置の分解右側面図である。
【図６】上部カバー及びロックケースの平面図である。
【図７】抽斗用ロック装置の部分正面図である。
【図８】同ロック装置の施錠状態の部分右側面図である。
【図９】同ロック装置の解錠操作時の部分右側面図である。
【図１０】一つの抽斗を引き出した状態の部分右側面図である。
【図１１】本抽斗用ロック装置を設けた保管庫の正面図である。
【符号の説明】
【００３９】
１      保管庫本体
２      抽斗
３      ロックケース
３ａ    スリット
３ｂ    スリット
３ｃ    リブ
４      ロック杆
４ａ    帯板
４ｂ    係合ピン
５      第１係止部
６      第２係止部
９      上部カバー
１０    カード式錠
１０ａ  カードキー挿入長孔
１０ｂ  設定カード挿入長孔
１１    錠作動部
１２    作動レバー
１２ａ  枢軸
２０    レール部
２１    第１ロック部
２１ａ  傾斜部
２１ｂ  水平部
２２    第２ロック部
２３    スライドレール
【図１】
2008136716.tif 000003
【図２】
2008136716.tif 000004
【図３】
2008136716.tif 000005
【図４】
2008136716.tif 000006
【図５】
2008136716.tif 000007
【図６】
2008136716.tif 000008
【図７】
2008136716.tif 000009
【図８】
2008136716.tif 000010
【図９】
2008136716.tif 000011
【図１０】
2008136716.tif 000012
【図１１】
2008136716.tif 000013